(57)【要約】【課題】給電ケーブル方式で防水構造とすることが可能な照明装置を提供する。【解決手段】内部に複数個のＬＥＤ素子１２が設けられたＬＥＤランプ１０と、このＬＥＤランプ１０の一端を係止するソケット３０と、このソケット３０に形成された貫通孔３２ｄ３から導出される給電ケーブル５０と、ＬＥＤランプ１０とソケット３０とに跨って配置され、筒体４１をソケット３０にねじ込むことで、貫通孔３２ｄ３とコネクタ受け部１０ｅとを含めて密閉する防水カバー４０と、を備えている。【選択図】図９
2014041758.tif 000002
【特許請求の範囲】
【請求項１】
内部に発光源が設けられたランプと、
前記ランプを係止するソケットと、
前記ソケットに形成された貫通孔から導出され、前記ランプに設けられた給電端子部と電気的に接続される給電ケーブルと、
前記ランプと前記ソケットとに跨って配置され、前記貫通孔と前記給電端子部とを含めて密閉する防水カバーと、
を備えることを特徴とする照明装置。
【請求項２】
前記ランプは、直管状に形成されるとともに、一端が前記ソケットに係止される係止突起を有し、
前記防水カバーは、筒体を有し、この筒体が前記ソケットの外周面に螺着され、
前記貫通孔は、前記係止突起と対向する面に形成されていることを特徴とする請求項１に記載の照明装置。
【請求項３】
前記貫通孔は、前記ランプよりも径方向外側に位置し、かつ、前記給電端子部に対応する位置に形成されていることを特徴とする請求項２に記載の照明装置。
【請求項４】
前記給電ケーブルには、前記給電端子部と接続されるコネクタが設けられ、
前記貫通孔は、前記給電ケーブルの可動範囲が、前記コネクタの挿入方向とは逆方向を基準として前記ランプの側に９０度となるように設定されていることを特徴とする請求項２または請求項３に記載の照明装置。
【請求項５】
前記給電ケーブルは、前記ソケットから露出する位置から前記給電端子部側への長さが、１４ｍｍ以上６０ｍｍ以下に設定されることを特徴とする請求項１から請求項３のいずれか１項に記載の照明装置。
【発明の詳細な説明】
【技術分野】
【０００１】
本発明は、光源として発光ダイオードなどを用いた照明装置に関する。
【背景技術】
【０００２】
近年、従来の白熱電球や蛍光ランプの他に光源に発光ダイオード（ＬＥＤ：Light Emitting Diode）などを用いた直管形ランプの照明装置が種々開発されている。例えば、特許文献１では、従来の口金部分（係止ピン）から給電を行うタイプに替えて、口金部分をソケットに保持させる目的で使用し、光源への給電を別に設けたケーブルで行う給電ケーブル方式の照明装置が提案されている。また、特許文献２では、防水構造の照明器具が提案されている。
【先行技術文献】
【特許文献】
【０００３】
【特許文献１】特開２０１１−１９８６９５号公報
【特許文献２】特開２０１０−５６０９６号公報
【発明の概要】
【発明が解決しようとする課題】
【０００４】
しかしながら、特許文献１の給電ケーブル方式の照明装置に特許文献２の防水構造を適用しようとすると、給電ケーブルが器具本体から延びているため、防水用のカバーを取り付ける際に、給電ケーブルが邪魔になり、防水用のカバーをソケットに取り付けることができず、防水構造とすることができなかった。
【０００５】
本発明の課題は、給電ケーブル方式で防水構造とすることが可能な照明装置を提供することである。
【課題を解決するための手段】
【０００６】
本発明は、内部に発光源が設けられたランプと、前記ランプを係止するソケットと、前記ソケットに形成された貫通孔から導出され、前記ランプに設けられた給電端子部と電気的に接続される給電ケーブルと、前記ランプと前記ソケットとに跨って配置され、前記貫通孔と前記給電端子部とを含めて密閉する防水カバーと、を備えることを特徴とする。
【発明の効果】
【０００７】
本発明によれば、給電ケーブル方式で防水構造とすることが可能な照明装置を提供できる。
【図面の簡単な説明】
【０００８】
【図１】第１実施形態に係るＬＥＤ照明装置の外観斜視図である。
【図２】第１実施形態に係るＬＥＤ照明装置の分解斜視図である。
【図３】ＬＥＤランプの給電側の端部を示す斜視図である。
【図４】図２の要部を拡大して示す分解斜視図である。
【図５】（ａ）はコネクタと把持部が設けられた給電ケーブルを斜め上方から見たときの斜視図、（ｂ）はコネクタと把持部が設けられた給電ケーブルを斜め下方から見上げたときの斜視図、（ｃ）は（ａ）から把持部を取り外した状態を示す斜視図、（ｄ）は（ｂ）から把持部を取り外した状態を示す斜視図である。
【図６】給電側のソケットの内部を拡大して示す縦断面図である。
【図７】ＬＥＤランプに給電ケーブルのコネクタを差し込んだ状態を示す斜視図である。
【図８】防水カバーを取り付ける前の状態を示すＬＥＤ照明装置の部分縦断面図である。
【図９】防水カバーを取り付けた後の状態を示すＬＥＤ照明装置の部分縦断面図である。
【図１０】非給電側のソケットを示す縦断面図である。
【図１１】ＬＥＤランプの給電側をソケットに取り付ける途中の状態を示す縦断面図である。
【図１２】第１実施形態の変形例に係るソケットを示す斜視図である。
【図１３】変形例に係るソケットに対応するＬＥＤランプの給電側の端部を示す斜視図である。
【図１４】変形例に係るソケットに対応するＬＥＤランプに給電ケーブルのコネクタを差し込んだ状態を示す斜視図である。
【図１５】第２実施形態に係るＬＥＤ照明装置に用いられるソケットを示す斜視図である。
【図１６】第２実施形態に係るＬＥＤ照明装置に用いられる給電ケーブルの可動範囲を示す説明図である。
【図１７】第２実施形態に係るＬＥＤ照明装置に用いられるソケットの内部を拡大して示す断面図である。
【発明を実施するための形態】
【０００９】
以下、本発明の実施形態に係るＬＥＤ照明装置（照明装置）１Ａ，１Ｂについて、図面を参照して詳細に説明する。なお、以下では、ＬＥＤ照明装置１Ａ，１Ｂとして、１灯式のものを例に挙げて説明するが、１灯式のものに限定されるものではなく、多灯式のものに適用してもよい。また、ＬＥＤ照明装置１Ａ，１Ｂは、例えば、防水性能が要求される屋外（屋根の下面側、軒下など）に設置されるものである。
【００１０】
（第１実施形態）
図１は第１実施形態に係るＬＥＤ照明装置の外観斜視図である。ちなみに、このＬＥＤ照明装置１Ａは、いわゆる直管形蛍光灯の１１０形に対応するものである。
図１に示すように、ＬＥＤ照明装置１Ａは、直管形（直管状）のＬＥＤランプ１０（ランプ）と、このＬＥＤランプ１０を点灯する点灯回路２１（図８参照）を収納した器具本体２０と、器具本体２０に取り付けられてＬＥＤランプ１０を保持するソケット３０，６０と、点灯回路２１（図８参照）から延びてＬＥＤランプ１０と接続される給電ケーブル５０（図２参照）と、ＬＥＤランプ１０の両端においてソケット３０，６０に取り付けられる防水カバー４０，７０と、を備えて構成されている。
【００１１】
図２は第１実施形態に係るＬＥＤ照明装置の分解斜視図である。
図２に示すように、ＬＥＤランプ１０は、発光源として複数のＬＥＤ素子１２（図８参照）が収容された円筒形状を呈するランプカバー１０ａと、このランプカバー１０ａの軸方向（ランプの長手方向）の一端を閉塞する口金部１０ｂと、他端を閉塞するダミー口金部１０ｃと、を有している。
【００１２】
ランプカバー１０ａは、例えば、ポリカーボネート樹脂など耐衝撃性に優れた材料で形成され、光透過性で白色を呈するものである。口金部１０ｂおよびダミー口金部１０ｃは、例えば、ポリカーボネート樹脂の材料で形成され、光不透過性で白色を呈するものである。
【００１３】
また、ＬＥＤランプ１０は、軸方向（ランプの長手方向）の一端がソケット３０に係止され，他端がソケット６０に係止されることで、ＬＥＤランプ１０が器具本体２０から脱落しないように保持される。なお、本実施形態では、ＬＥＤランプ１０の軸方向の一端が給電側、他端が非給電側として構成されている。
【００１４】
器具本体２０は、例えば、亜鉛メッキ鋼板などの熱伝導性の良好な金属を素材として用いて、その縦断面が矩形状（不図示）、かつ、ＬＥＤランプ１０の全長より若干長くなるように細長い四角箱型の形状を有している。また、器具本体２０の下面（ＬＥＤランプ１０と対向する面）には、長手方向の一端にソケット３０が取り付けられる取付孔２０ａが形成され、他端にソケット６０が取り付けられる取付孔２０ｂが形成されている。
【００１５】
なお、器具本体２０の表面には、ＬＥＤランプ１０から器具本体２０側（天地方向の天側）に放射された光を反対側（地側）に効率よく反射させる塗装（白色など）が施されている。また、器具本体２０の下面には、ＬＥＤランプ１０の長手方向に沿って鏡面状の反射板（不図示）が配設されていてもよい。また器具本体２０の形状については、断面矩形状のものに限定されず、逆富士形、笠付形、埋込形などこれまで直管形蛍光ランプで用いられてきた各種形状のものを適用することができる。
【００１６】
図３はＬＥＤランプ１０の給電側の端部を示す斜視図である。
ＬＥＤランプ１０の口金部１０ｂには、略半円柱形状を呈する凸部１０ｄが一体に形成され、この凸部１０ｄの平坦面１０ｄ１が下向き（地側向き）に配置されている。この凸部１０ｄの径は、口金部１０ｂの最大径よりも短く構成されている。また、凸部１０ｄには、後記する給電ケーブル５０のコネクタ５２が接続されるコネクタ受け部１０ｅの開口が下向き（地側向き）に設けられている。なお、平坦面１０ｄ１の向きやコネクタ受け部１０ｅの開口の向きは器具本体２０に取り付けた際に下向き（地側向き）となるようなものに限るものではなく、上向き（天側向き）や左右向きでも良い。
【００１７】
また、凸部１０ｄの端面１０ｄ２には、ソケット３０（図２参照）側（ＬＥＤランプ１０の軸方向側）に突出する係止突起１０ｆが一体に形成されている。この係止突起１０ｆは、ランプカバー１０ａの径方向の中心に位置している。すなわち、係止突起１０ｆは、平坦面１０ｄ１の近傍に略平行に延びる下板部１０ｆ１と、この下板部１０ｆ１の上方に対向する上板部１０ｆ２と、下板部１０ｆ１と上板部１０ｆ２とを接続する一対の縦板部１０ｆ３，１０ｆ３とで、軸方向から平面視したときに略矩形状を呈するように構成されている。
【００１８】
なお、ＬＥＤランプ１０の他端側のダミー口金部１０ｃ（図２参照）には、前記した係止突起１０ｆと同様な形状の係止突起１０ｇ（図２参照）がソケット６０（図２参照）側（ＬＥＤランプ１０の軸方向側）に突出して形成されている。
【００１９】
図４は図２の要部を拡大して示す分解斜視図である。
図４に示すように、ＬＥＤランプ１０（図３参照）の一端側が保持されるソケット３０は、合成樹脂製の材料で形成され、器具本体２０に支持される基部３１と、この基部３１の下面に設けられてＬＥＤランプ１０を係止する係止部３２と、を備えている。
【００２０】
基部３１は、扁平な略四角形状を呈しており、幅方向（軸方向に直交する方向）の両側面に、軸方向に延びる一対のガイド溝３１ａ，３１ｂが形成されている。取付孔２０ａ（図２参照）に対して基部３１をガイド溝３１ａ，３１ｂの位置まで挿入し、基部３１を軸方向外方にスライドさせることによって、ソケット３０が器具本体２０（図２参照）に支持される。
【００２１】
係止部３２は、有底円筒形状を呈する本体部３２ａと、本体部３２ａの軸方向と略同心円状に配置される円筒形状を呈するねじ溝部３２ｂと、を有している。ねじ溝部３２ｂは、ねじ溝が外周面に形成されるとともに、その下端にねじ溝が切り欠かれた切欠部３２ｂ１が形成されている。なお、切欠部３２ｂ１の開口する一端と他端とを結ぶ幅Ｗ１（直線状の距離）は、ＬＥＤランプ１０の係止突起１０ｆの幅Ｗ（図３参照）よりも長く形成され、係止突起１０ｆが切欠部３２ｂ１を挿通できる寸法で形成されている。
【００２２】
また、係止部３２は、本体部３２ａとねじ溝部３２ｂとの境界部に、外方へ突出する略リング状のつば部３２ｃを有している。
【００２３】
また、係止部３２は、略円盤形状を呈する蓋部３２ｄを有し、ねじ溝部３２ｂの開口を閉塞するように挿入され、つば部３２ｃの位置と略一致する位置まで挿入されている。つまり、蓋部３２ｄは、ねじ溝部３２ｂの開口端３２ｂ２から軸方向一端側の奥まった位置に配置されている。
【００２４】
蓋部３２ｄの中央部には、ＬＥＤランプ１０の係止突起１０ｆ（図３参照）が挿入される係止孔３２ｄ１が形成されている。この係止孔３２ｄ１は、略楕円形状（トラック形状）を呈し、短径側が天地方向となるように配置されている。また、蓋部３２ｄには、係止孔３２ｄ１の開口縁部から一端側に延びる円筒形状の補強部材３２ｄ２が形成されている。
【００２５】
また、蓋部３２ｄの径方向の外周側には、本体部３２ａの内部空間と連通する貫通孔３２ｄ３が形成されている。この貫通孔３２ｄ３は、前記切欠部３２ｂ１と対応する位置、かつ、前記係止孔３２ｄ１の下方に位置している。また、貫通孔３２ｄ３は、天地方向に細長く形成され、少なくとも後記するリード線５１，５１（図５参照）を挿通可能な開口面積を有している。これにより、リード線５１，５１（図５参照）をソケット３０の内部から外部に導出することができる。なお、第１実施形態では、蓋部３２ｄが、係止突起１０ｆと対向する面に対応している。
【００２６】
図４に示すように、防水カバー４０は、筒体４１、第１シール部材４２、第２シール部材４３およびスペーサ４４で構成されている。なお、筒体４１およびスペーサ４４は、合成樹脂製の材料で形成され、第１シール部材４２および第２シール部材４３は、ゴムなどの弾性材料で形成されている。
【００２７】
筒体４１は、円筒形状を呈し、軸方向の長さが、ソケット３０とＬＥＤランプ１０に跨って配置することができるように構成されている（図９参照）。また、筒体４１の最小の内径は、ＬＥＤランプ１０の外径よりも長く形成され、ＬＥＤランプ１０が挿通可能となるように構成されている。
【００２８】
また、筒体４１は、先端側（他端側）の内径が基端側（一端側）の内径よりも短く形成され、筒体４１の先端部が縮径する縮径部４１ａを有している。また、筒体４１の基端側（一端側）の内周面には、ソケット３０のねじ溝部３２ｂと螺合するねじ溝４１ｂが形成されている。なお、ねじ溝４１ｂは、筒体４１の基端側（一端側）の端部から先端側（他端側）に向けてソケット３０のねじ溝部３２ｂの軸方向の長さよりも長く形成されている。また、筒体４１の外周面には、滑り止め用の加工が施されている。
【００２９】
第１シール部材４２は、円筒形状を呈し、ＬＥＤランプ１０（図３参照）と防水カバー４０との隙間を密閉するものである。また、第１シール部材４２は、筒体４１の軸方向の長さよりも短く形成されるとともに、その外径が筒体４１の基端側の内径よりも短く形成され、軸方向の他端側の端部が縮径部４１ａの内壁に当接するようになっている。
【００３０】
第２シール部材４３は、リング形状を呈し、ソケット３０と防水カバー４０との隙間を密閉するものである。また、第２シール部材４３は、ねじ溝部３２ｂに外嵌し、かつ、つば部３２ｃに当接する径となるように構成されている。
【００３１】
スペーサ４４は、円筒形状を呈し、第１シール部材４２を軸方向に押圧する機能を有する。また、スペーサ４４は、筒体４１の軸方向の長さよりも短く形成され、第１シール部材４２の軸方向の長さを含めた合計の軸方向の長さが、筒体４１の軸方向の長さよりも短くなるように構成されている。
【００３２】
また、スペーサ４４には、軸方向の一端側に、周方向に間隔を置いて爪部４４ａが形成されている。この爪部４４ａは、筒体４１内に挿入されたときに、筒体４１のねじ溝４１ｂのねじ山に掛止され、筒体４１からスペーサ４４が抜け出るのを防止する仮止め機能を有している。
【００３３】
図５（ａ）はコネクタと把持部が設けられた給電ケーブルを斜め上方から見たときの斜視図、（ｂ）はコネクタと把持部が設けられた給電ケーブルを斜め下方から見上げたときの斜視図、（ｃ）は（ａ）から把持部を取り外した状態を示す斜視図、（ｄ）は（ｂ）から把持部を取り外した状態を示す斜視図である。
【００３４】
図５（ａ）および図５（ｂ）に示すように、給電ケーブル５０は、１組のリード線５１，５１を有している。リード線５１，５１の先端にはコネクタ５２が接続されるとともに、このコネクタ５２に把持部５３が設けられている。なお、リード線５１，５１は、可撓性を有する材料で形成されている。
【００３５】
把持部５３は、給電ケーブル５０（リード線５１，５１）をＬＥＤランプ１０（図３参照）のコネクタ受け部１０ｅに接続する際にその接続作業を容易にするものであり、対向して配置される一対の四角板状のつまみ部５３ａ，５３ｂを有している。また、把持部５３は、つまみ部５３ａ，５３ｂが対向して配置されるとともに、つまみ部５３ａ，５３ｂ間に形成された孔（不図示）にコネクタ５２が挿入されて接着などで固定されている。
【００３６】
図５（ｃ）および図５（ｄ）に示すように、リード線５１，５１は、コネクタ５２の手前で略直角に曲げられて、コネクタ５２の端子部５２ａと接続されている。
【００３７】
図５（ｂ）に戻って、リード線５１，５１は、つまみ部５３ａに形成されたリード線挿通孔５３ｃ，５３ｃに挿通されている。これにより、貫通孔３２ｄ３（図４参照）から導出されて軸方向に延びるリード線５１，５１の向きを、軸方向に直交する向きに設けられているコネクタ受け部１０ｅ（図４参照）にコネクタ５２を容易に接続することが可能になる。
【００３８】
図６は給電側のソケットの内部を拡大して示す縦断面図である。
図６に示すように、貫通孔３２ｄ３を介してソケット３０内に収容される給電ケーブル５０（リード線５１，５１）は、ソケット３０の内部に設けられた金具５４，５４と電気的に接続されている。この各金具５４は、ソケット３０と一体に形成された金具固定部３２ｆに取り付けられている。
【００３９】
また、ソケット３０は、基部３１の内部空間と係止部３２の金具５４が位置する空間とを連通させる連通孔３２ｇを有している。金具５４には、別のリード線５５の一端が接続され、他端が連通孔３２ｇを通って、点灯回路２１（図８参照）に接続されている。このように、器具本体２０（図１参照）内の点灯回路２１と接続された給電ケーブル５０（リード線５１，５１）は、ソケット３０の内部を通って、ソケット３０に形成された貫通孔３２ｄ３から導出されるようになっている。つまり、本実施形態では、給電ケーブル５０は、ソケット３０の内部から導出されるものであり、ソケット３０とは異なる場所（例えば、器具本体２０）から導出されるものではない。
【００４０】
なお、ソケット３０には、蓋部３２ｄに設けられた一対の爪部３２ｄ４，３２ｄ４と嵌合する嵌合凹部３２ｅ，３２ｅが設けられている。これにより、蓋部３２ｄが本体部３２ａに対して回転することなく安定して保持される。なお、蓋部３２ｄは、本体部３２ａとの間で凹凸嵌合することなどによって、本体部３２ａから抜け出ないようになっている。
【００４１】
図７はＬＥＤランプに給電ケーブルのコネクタを差し込んだ状態を示す斜視図である。
図７に示すように、コネクタ受け部１０ｅに対して、給電ケーブル５０のコネクタ５２の端子部５２ａ（図５参照）を上向きの状態で差し込むことにより、コネクタ受け部１０ｅと給電ケーブル５０とが電気的に接続される。このように、コネクタ受け部１０ｅを下向きとすることにより、給電ケーブル５０の接続作業を容易にできる。
【００４２】
なお、給電ケーブル５０のコネクタ５２（図５参照）は、コネクタ受け部１０ｅに接続されたときに、つまみ部５３ａ，５３ｂが、後記する防水カバー４０（図８参照）の内面に接触することがないように、つまみ部５３ａ，５３ｂの大きさ（口金部１０ｂの径方向への突出量）が決められている。
【００４３】
図８は防水カバーを取り付ける前の状態を示すＬＥＤ照明装置の部分縦断面図、図９は防水カバーを取り付けた後の状態を示すＬＥＤ照明装置の部分縦断面図である。なお、ＬＥＤランプ１０は、ランプカバー１０ａの内部に、ＬＥＤ実装基板１１と、このＬＥＤ実装基板１１上にＬＥＤランプ１０の長手方向に実装される複数個のＬＥＤ素子１２と、ＬＥＤ実装基板１１の上方に配置されるアルミニウム製のヒートシンク１３と、を備えている。また、口金部１０ｂは、ねじ１４を介してヒートシンク１３にねじ止めされている。
【００４４】
ＬＥＤ実装基板１１としては、アルミニウムまたはアルミニウム合金製の平板に絶縁層および銅箔パターンなどを形成したものや、熱伝導性の良好な樹脂（例えばポリイミド樹脂など）製の平板上に銅箔パターンおよびソルダーレジストなどを形成したものを用いることができる。
【００４５】
ヒートシンク１３は、ランプカバー１０ａの一端から他端に沿って配置され、複数のＬＥＤ素子１２が実装されたＬＥＤ実装基板１１を冷却する役割を果たす。
【００４６】
図８に示すように、ＬＥＤランプ１０が、筒体４１、第１シール部材４２およびスペーサ４４に挿通され、第２シール部材４３が、つば部３２ｃに当接した状態において、ＬＥＤランプ１０の係止突起１０ｆをソケット３０の係止孔３２ｄ１に挿入して、ＬＥＤランプ１０をソケット３０に保持させる。なお、この状態での第１シール部材４２は、径中心方向への撓み変形量が少なく、ＬＥＤランプ１０のランプカバー１０ａの外径よりも長くなっている。
【００４７】
そして、防水カバー４０の筒体４１内に、まず第１シール部材４２を挿入し、その後スペーサ４４を挿入した状態で、筒体４１のねじ溝４１ｂをソケット３０のねじ溝部３２ｂにねじ込むことで、スペーサ４４の一端側の端面４４ｂが、ねじ溝部３２ｂの開口端３２ｂ２によって他端側に向けて押圧されるとともに、スペーサ４４の他端側の端面４４ｃが第１シール部材４２の一端側の端面４２ａを押圧する。また、第１シール部材４２の他端側の端面４２ｂは、筒体４１の縮径部４１ａの内壁面４１ａ１に当接する。一方、第２シール部材４３は、筒体４１の一端側の端面４１ｃとつば部３２ｃとで軸方向の両側から押圧される。
【００４８】
これにより、図９に示すように、第１シール部材４２が筒体４１とスペーサ４４とで軸方向の両側から押圧されることで、第１シール部材４２の軸方向の一部が径中心方向に撓み変形して、第１シール部材４２がＬＥＤランプ１０のランプカバー１０ａの外周面の全周にわたって密着する。また、筒体４１の縮径部４１ａの内壁面４１ａ１に密着するので、筒体４１と第１シール部材４２との間に隙間が密閉される。これにより、防水カバー４０の先端側（他端側、ランプ側）からの水の浸入が防止される。
【００４９】
また、第２シール部材４３が筒体４１とソケット３０のつば部３２ｃとで軸方向の両側から押圧されることで、第２シール部材４３が筒体４１の端面４１ｃとソケット３０のつば部３２ｃとにそれぞれ密着する。これにより、防水カバー４０の基端側（一端側、ソケット３０側）からの水の浸入が防止される。
【００５０】
このようにして防水カバー４０をソケット３０に取り付けることにより、貫通孔３２ｄ３を介してソケット３０の内部に水が浸入したり、また給電ケーブル５０のコネクタ５２が接続されるＬＥＤランプ１０のコネクタ受け部１０ｅに水が浸入したりするのを確実に防止できる。
【００５１】
なお、給電ケーブル５０（リード線５１）は、貫通孔３２ｄ３からＬＥＤランプ１０に向けて露出する長さＬ（貫通孔３２ｄ３の位置からコネクタ５２内にリード線５１が入り込む入口まで）が１４ｍｍ以上６０ｍｍ以下に設定されている。この長さＬに設定することにより、防水カバー４０をソケット３０に装着する際に、リード線５１が、筒体４１のねじ溝４１ｂとソケット３０のねじ溝部３２ｂとの間に噛み込むのを防止できる。
【００５２】
図１０は非給電側のソケットを示す縦断面図である。なお、防水カバー７０の筒体７１、第１シール部材７２、第２シール部材７３およびスペーサ７４は、前記した防水カバー４０の筒体４１、第１シール部材４２、第２シール部材４３およびスペーサ４４と同様に構成されるものである。
【００５３】
図１０に示すように、ＬＥＤランプ１０の他端側の端部は、ランプカバー１０ａの端部にダミー口金部１０ｃが取り付けられている。ダミー口金部１０ｃは、ねじ１４を介して、ヒートシンク１３にねじ止めされている。また、ダミー口金部１０ｃの軸方向の端面１０ｃ１には、前記した係止突起１０ｆと同様な形状の係止突起１０ｇが突出して形成されている。
【００５４】
ＬＥＤランプ１０の係止突起１０ｇが係止されるソケット６０の内部は、ＬＥＤランプ１０のソケット６０への装着が容易となるように、ＬＥＤランプ１０の端部から加えられる力で軸方向に後退可能となる機構を有している。
【００５５】
すなわち、ソケット６０は、器具本体２０に支持される基部６１と、ＬＥＤランプ１０を係止する係止部６２と、を備えている。なお、基部６１、係止部６２のねじ溝部６２ｂ、つば部６２ｃは、前記した基部３１、ねじ溝部３２ｂ、つば部３２ｃと同様の構成である。
【００５６】
係止部６２は、有底円筒形状を呈する本体部６２ａと、本体部６２ａの軸方向と略同心円状に配置されるねじ溝部６２ｂと、を有している。なお、前記した切欠部３２ｂ１に対応する切欠部６２ｂ１については、設けられていてもいなくてもどちらでもよい。
【００５７】
本体部６２ａの内部に形成された凹部６２ａ１には、係止突起１０ｇが係止される係止部材６２ｄと、この係止部材６２ｄをＬＥＤランプ１０側に付勢するコイルばね６２ｅ（弾性部材）と、係止部材６２ｄのＬＥＤランプ１０側への突出量を規制する規制部材６２ｆと、を有している。
【００５８】
係止部材６２ｄは、略円柱形状を呈し、その先端部に係止穴６２ｄ１が形成されている。また、係止部材６２ｄの基端部には、先端部よりも拡径した拡径部６２ｄ２が形成されている。また、拡径部６２ｄ２の他端側には、コイルばね６２ｅの一端が挿入されて支持される凹部６２ｄ３が形成されている。コイルばね６２ｅの他端は、凹部６２ａ１の底面に突設された凸部６２ａ２に外嵌して支持されている。これにより、係止部材６２ｄをＬＥＤランプ１０に向けて安定して付勢することができる。
【００５９】
規制部材６２ｆは、略円筒形状を呈し、前記凹部６２ａ１内に固定されている。また、規制部材６２ｆには、係止部材６２ｄの拡径部６２ｄ２よりも先端側を挿通可能にする規制板部６２ｆ２が形成されている。規制板部６２ｆ２には、挿通孔６２ｆ１が形成されている。これにより、係止部材６２ｄの拡径部６２ｄ２が、挿通孔６２ｆ１の他端側の開口縁部に当接することで、係止部材６２ｄのＬＥＤランプ１０への突出量が決定されている。
【００６０】
図１１はＬＥＤランプの給電側をソケットに取り付ける途中の状態を示す縦断面図である。なお、第１実施形態に係るＬＥＤ照明装置１において、ＬＥＤランプ１０をソケット３０およびソケット６０（図１０参照）に装着する場合には、まず、ＬＥＤランプ１０の非給電側の係止突起１０ｇを、ソケット６０の係止穴６２ｄ１に挿入し、さらにＬＥＤランプ１０を他端側に押し込むことにより、係止部材６２ｄを後退させる。これによって、ＬＥＤランプ１０の一端側の係止突起１０ｆを、ソケット３０の蓋部３２ｄよりも若干他端側に位置させることができる。
【００６１】
そして、貫通孔３２ｄ３から延びている給電ケーブル５０を、ソケット３０の一端側に曲げた状態で、ＬＥＤランプ１０の給電側の係止突起１０ｆを、ソケット３０のねじ溝部３２ｂの切欠部３２ｂ１を通過させる。このように、ねじ溝部３２ｂに切欠部３２ｂ１が形成されているので、係止突起１０ｆを切欠部３２ｂ１に挿通させることができる。そして、係止突起１０ｆを係止孔３２ｄ１に挿入するが、このとき、コイルばね６２ｅ（図１０参照）の付勢力によって、ＬＥＤランプ１０のダミー口金部１０ｃ（図１０参照）が一端側に向けて押圧されているので、ＬＥＤランプ１０の口金部１０ｂは、コイルばね６２ｅからの付勢力を受けた状態でソケット３０に保持される。よって、ＬＥＤランプ１０は、ソケット３０，６０に安定して保持される。
【００６２】
以上説明したように、ＬＥＤ照明装置１Ａによれば、給電ケーブル５０をソケット３０に形成された貫通孔３２ｄ３から導出して、防水カバー４０をＬＥＤランプ１０とソケット３０とに跨って配置することで、防水カバー４０をソケット３０に取り付ける際に、給電ケーブル５０が邪魔になって、防水カバー４０がソケット３０に取り付けができなくなることを防止できる。
【００６３】
また、ＬＥＤ照明装置１Ａによれば、貫通孔３２ｄ３が係止突起１０ｆと対向する面（蓋部３２ｄ）に形成されることで、防水カバー４０をソケット３０にねじ込んで取り付ける際に、防水カバー４０の筒体４１のねじ溝４１ｂと、ソケット３０のねじ溝部３２ｂとの間でリード線５１を噛み込むのを防止できる。
【００６４】
また、ＬＥＤ照明装置１Ａによれば、給電ケーブル５０（リード線５１）の長さＬ（図９参照）を１４ｍｍ以上６０ｍｍ以下に設定することにより、防水カバー４０をソケット３０に取り付けるときに、リード線５１が防水カバー４０の外側に飛び出して、防水カバー４０をソケット３０に締め付不能になるといった不都合を防止できる。
【００６５】
また、ＬＥＤ照明装置１Ａによれば、貫通孔３２ｄ３が、ＬＥＤランプ１０の外径よりも径方向外側かつコネクタ受け部１０ｅに対応する位置に形成されているので、ＬＥＤランプ１０の係止突起１０ｆを係止孔３２ｄ１に係止する際に、給電ケーブル５０のコネクタ５２がコネクタ受け部１０ｅとは反対側に位置して、コネクタ５２がコネクタ受け部１０ｅに接続できなくなるといった不都合を防止できる。よって、ＬＥＤランプ１０のソケット３０への取り付けが容易になる。
【００６６】
（第１実施形態の変形例）
図１２は第１実施形態の変形例に係るソケットを示す斜視図である。なお、この変形例に係るソケット３０Ａは、いわゆる直管形蛍光灯の４０形に対応するものである。
図１２に示すように、ソケット３０Ａは、ＬＥＤランプ１００（図１３参照）の一端が係止され、基部３３と、係止部３４とで構成されている。基部３３は、前記した基部３１（図４参照）に対応し、係止部３４は、前記した係止部３２（図４参照）に対応するものである。基部３３および係止部３４は、軸方向の長さが、前記した基部３１および係止部３２よりも短く形成されている。これは、４０形のＬＥＤランプ１００が、１１０形のＬＥＤランプ１０よりも軸方向の長さが短く、かつ、全体の重さが軽量であるので、高い機械的強度が不要であるからである。
【００６７】
また、基部３３のガイド溝３３ａ，３３ｂは、前記したガイド溝３１ａ，３１ｂ（図４参照）に対応している。係止部３４の本体部３４ａ、ねじ溝部３４ｂ、つば部３４ｃ、蓋部３４ｄは、前記した本体部３２ａ、ねじ溝部３２ｂ、つば部３２ｃ、蓋部３２ｄに対応している（図４参照）。なお、ソケット３０Ａでは、蓋部３４ｄが、前記した蓋部３２ｄとは異なり、本体部３４ａとねじ溝部３４ｂとの境界部ではなく、ねじ溝部３４ｂの開口端に位置している。また、ねじ溝部３４ｂには、その下端に軸方向に細長く切り欠かれた切欠部３４ｂ１が形成されている。
【００６８】
蓋部３４ｄの中央部には、後記するＬＥＤランプ１００（図１３参照）の一対の係止ピン１００ｈ，１００ｈ（図１３参照）が挿入される係止孔３４ｄ１，３４ｄ１が形成されている。
【００６９】
また、蓋部３４ｄの径方向外周側には、本体部３４ａの内部空間と連通する貫通孔３４ｄ２が形成されている。この貫通孔３４ｄ２は、前記切欠部３４ｂ１と対応する位置している。また、貫通孔３４ｄ２は、径方向の中心に向けて細長く形成され、少なくとも給電ケーブル５０（リード線５１，５１）が挿通可能な開口面積を有している。これにより、給電ケーブル５０（リード線５１，５１）をソケット３０Ａの内部から外部に導出することができる。なお、変形例では、蓋部３４ｄが、係止ピン１００ｈと対向する面に対応している。
【００７０】
図１３は変形例に係るソケットに対応するＬＥＤランプの給電側の端部を示す斜視図、図１４は変形例に係るソケットに対応するＬＥＤランプに給電ケーブルのコネクタを差し込んだ状態を示す斜視図である。なお、ＬＥＤランプ１００は、ランプカバー１００ａ内に、長手方向の長さに対応したＬＥＤ実装基板１１０（図１６参照）およびヒートシンク１３０（図１６参照）が設けられている。
【００７１】
図１３に示すように、ＬＥＤランプ１００は、円筒形状のランプカバー１００ａの端部に、口金部１００ｂを有している。この口金部１００ｂは、前記した口金部１０ｂ（図３参照）と同様に、略半円柱形状の凸部１００ｄにコネクタ受け部１００ｅが設けられ、凸部１００ｄの端面１００ｄ２に一対の係止ピン１００ｈ，１００ｈ（係止突起）が形成されている。
【００７２】
なお、係止ピン１００ｈ，１００ｈは、直管形の蛍光ランプの口金と同様な金属製のもので形成されている。ただし、係止ピン１００ｈ，１００ｈは、給電ケーブル５０、およびコネクタ受け部１００ｅとは導通しないように構成されている。
【００７３】
図１４に示すように、ＬＥＤランプ１００のコネクタ受け部１００ｅには、給電ケーブル５０のコネクタ５２（図５参照）が挿し込まれることで接続される。なお、図示していないが、ＬＥＤランプ１００の他端側のダミー口金部１０ｃは、口金部１００ｂの係止ピン１００ｈと同様な一対の係止ピンが設けられ、また、他端側の係止ピンが係止されるソケットは、図１０の係止穴６２ｄ１に代えて係止ピンが挿入される係止穴が形成され、係止穴が後退可能な機構を有している。
【００７４】
ＬＥＤランプ１００の一端側をソケット３０Ａ（図１２参照）に保持させる際には、貫通孔３４ｄ２から導出された給電ケーブル５０（リード線５１，５１）を下方に向けて曲げることで、ＬＥＤランプ１００をソケット３０Ａに容易に保持させることができる。
【００７５】
また、ソケット３０Ａでは、ねじ溝部３４ｂに、貫通孔３４ｄ２と連通する切欠部３４ｂ１を形成することで、ＬＥＤランプ１００の一端部をソケット３０Ａに係止する際に、給電ケーブル５０（リード線５１，５１）を、ＬＥＤランプ１００とは軸方向の逆側に大きく曲げることができるので、ＬＥＤランプ１００のソケット３０Ａへの係止をより容易に行うことができる。なお、ここでは、切欠部３４ｂ１を設けた場合を例に挙げて説明したが、切欠部３４ｂ１が設けられていない構成であってもよい。
【００７６】
（第２実施形態）
図１５は第２実施形態に係るＬＥＤ照明装置に用いられるソケットを示す斜視図、図１６は第２実施形態に係るＬＥＤ照明装置に用いられる給電ケーブルの可動範囲を示す説明図、図１７は第２実施形態に係るＬＥＤ照明装置に用いられるソケットの内部を拡大して示す断面図である。なお、第１実施形態の変形例と同様の構成については、同一の符号を付して重複した説明を省略する。また、第２実施形態に係るＬＥＤ照明装置１Ｂは、いわゆる直管形蛍光灯の４０形に対応するものであり、非給電側（他端側）のソケットが、前記のように後退可能に構成されているもの（係止穴が軸方向に可動するもの）ではなく、係止穴が固定されているもの（後退不能なもの）であり、ＬＥＤランプ１００の一端側をソケット３０Ｂに対してスライドさせて保持させるものである。
【００７７】
図１５に示すように、ソケット３０Ｂのねじ溝部３４ｂには、前記切欠部３４ｂ１の周方向の両側に、別の切欠部３４ｂ２，３４ｂ２が貫通して形成されている。なお、一方の切欠部３４ｂ２ともう一方の切欠部３４ｂ２との間隔は、ＬＥＤランプ１００（図１３参照）の係止ピン１００ｈ，１００ｈの間隔に対応している。また、第２実施形態では、切欠部３４ｂ１と貫通孔３４ｄ４とを合わせたものが、特許請求の範囲における貫通孔に対応する。
【００７８】
蓋部３４ｄには、前記切欠部３４ｂ２，３４ｂ２と連通して天地方向に延びる係止孔３４ｄ３，３４ｄ３が形成されている。ＬＥＤランプ１００をソケット３０Ｂに係止する際には、ＬＥＤランプ１００の係止ピン１００ｈ，１００ｈを、切欠部３４ｂ２，３４ｂ２に挿通し、係止孔３４ｄ３の径方向外周側から天地方向の地側から天側に向けて挿通し、係止ピン１００ｈ，１００ｈが上端に突き当たるまで挿通する。つまり、第２実施形態は、ＬＥＤランプ１００の係止ピン１００ｈ，１００ｈを切欠部３４ｂ２，３４ｂ２および係止孔３４ｄ３，３４ｄ３にスライドさせてソケット３０Ｂに保持させるものであるが、これは、ＬＥＤランプ１００の他端側（非給電側）のソケット（ソケット６０に対応するもの）が第１実施形態およびその変形例とは異なり、固定式のものであるからである。
【００７９】
図１６に示すように、ＬＥＤランプ１００をソケット３０Ｂに係止させる際には、給電ケーブル５０（リード線５１）を、図１６において実線で示す接続状態から、図１６において二点鎖線で示すように、切欠部３４ｂ１から導出して角度α（９０度）となるように曲げた状態で、前記したようにＬＥＤランプ１００の係止ピン１００ｈを係止孔３４ｄ３（図１５参照）に挿通させる。
【００８０】
このように、ソケット３０Ｂから給電ケーブル５０を導出する貫通孔（切欠部３４ｂ１および貫通孔３４ｄ４）の給電ケーブル５０（リード線５１，５１）の可動範囲を、給電ケーブル５０のコネクタ受け部１００ｅへの接続方向Ｐ（図１６参照）とは逆方向Ｓ（図１６参照）を基準として、ＬＥＤランプ１００側に向けて角度αとなるように設定することで、ＬＥＤランプ１００をソケット３０Ｂに保持させる際に、給電ケーブル５０が邪魔になってＬＥＤランプ１００が装着できなくなるといった不都合を防止することが可能になる。
【００８１】
なお、第２実施形態では、給電ケーブル５０の可動範囲を９０度に設定した場合を例に挙げて説明したが、９０度以上に設定してもよい。また、第２実施形態では、コネクタ受け部１００ｅが天地方向の地側（下向き）の場合を例に挙げて説明したが、コネクタ受け部１００ｅが上向き、左右方向の左向き、右向きであってもよく、いずれの場合においても、給電ケーブル５０の可動範囲を９０度または９０度以上に設定することにより、ＬＥＤランプ１００のソケット３０Ｂへの装着が容易になる。
【００８２】
また、図１７に示すように、ソケット３０Ｂ内には、係止ピン１００ｈ，１００ｈを支持する略コ字状のランプ支持部５７が設けられている。なお、図１７では、ランプ支持部５７を支持する部材、リード線５１が接続される金具５６，５６を支持する部材の図示を省略している。
【００８３】
このランプ支持部５７は、金属板を折り曲げて形成されたものであり、係止孔３４ｄ３，３４ｄ３の上方に位置して、係止孔３４ｄ３と係止孔３４ｄ３との間隔よりも長く形成された板部５７ａと、この板部５７ａの幅方向の両端部から垂下する垂下部５７ｂ，５７ｂとを有する。垂下部５７ｂの下端には、係止孔３４ｄ３に向けて突出して、係止ピン１００ｈを支持する軸方向の側面視において略三角形状を呈する支持部５７ｃが形成されている。
【００８４】
これにより、ＬＥＤランプ１００をソケット３０Ｂに係止する際、係止ピン１００ｈが係止孔３４ｄ３を上昇したときに、支持部５７ｃのテーパ面５７ｃ１に当接することで、垂下部５７ｂが撓み変形して幅方向の外側に広げられることで、係止ピン１００ｈがテーパ面５７ｃ１を乗り越え、そして、垂下部５７ｂが弾性復帰することで、テーパ面５７ｃ２と係止孔３４ｄ３とで係止ピン１００ｈが支持される。
【００８５】
本発明は、前記した実施形態に限定されるものではなく、本発明の要旨を逸脱しない範囲内において様々な形態で実施することができる。例えば、ＬＥＤランプ１０，１００の保持方法として、第１実施形態および第１実施形態の変形例では、他端側をばね式としたもの（一端側を固定＋他端側を可動）、第２実施形態では、一端側をスライド式としたもの（一端側および他端側を固定）を例に挙げて説明したが、ＬＥＤランプ１０，１００をソケットに対して回転させることで保持するものに適用してもよい。
【００８６】
なお、ソケット３０，３０Ａ，３０Ｂに給電ケーブル５０を導出する貫通孔３２ｄ３，３４ｄ３を形成することで、防水タイプ以外のものにも適用することができ、ＬＥＤランプ１０，１００のソケット３０，３０Ａ，３０Ｂへの係止が容易になる。
【００８７】
また、本実施形態では、ＬＥＤ照明装置１Ａ，１Ｂの適用例として、直管形のＬＥＤランプ１０，１００を例示して説明したが、本発明はこの例に限定されない。例えば、必ずしも直管形である必要はなく、管の途中で曲がる形状の管状のＬＥＤランプであってもよく、また、少なくとも防水カバー４０を装着する部分のＬＥＤランプの形状が管状であればよく、電球型、Ｕ字型など他の様々な形状のＬＥＤランプに適用することができる。
【００８８】
また、本実施形態では、発光源としてＬＥＤ素子１２を用いた場合を例に挙げて説明したが、これに限定されるものではなく、有機ＥＬ（エレクトロルミネッセンス）などを用いたものであってもよい。
【００８９】
なお、第１実施形態ではＬＥＤランプ１０の口金部１０ｂの凸部１０ｄに給電ケーブル５０のコネクタ受け部１０ｅが設けられ防水カバー４０により当該箇所を防水しており、第２実施形態ではＬＥＤランプ１００の口金部１００ｂの凸部１００ｄに給電ケーブル５０のコネクタ受け部１００ｅが設けられて防水カバー４０により当該箇所を防水しているが、コネクタ受け部１０ｅ，１００ｅはこれに限定されるものではない。コネクタ受け部は、口金部１０ｂ，１００ｂにおける別の箇所に設けても良いし、ランプカバー１０ａ，１００ａに設けても良い。第１および第２実施形態に記載の箇所以外にコネクタ受け部を設ける場合に防水を行うには、第１および第２実施形態に記載の防水カバー４０の構成を少し変更すればよい。特にコネクタ受け部をランプカバー１０ａ，１００ａに設ける場合は、防水カバー４０の軸方向長さを、少なくともコネクタ受け部を覆う長さとする、給電ケーブル５０を防水カバー４０とＬＥＤランプ１０とで挟まないように防水カバー４０の径を大きくする、第１シール部材４２によるランプカバー１０ａの防水箇所がコネクタ受け部１０ｅよりも軸方向他端側となるように第１シール部材４２やスペーサ４４の長さを調節するなどを行えばよい。
【符号の説明】
【００９０】
１，１Ａ  ＬＥＤ照明装置（照明装置）
１０，１００  ＬＥＤランプ（ランプ）
１０ａ，１００ａ  ランプカバー
１０ｂ，１００ｂ  口金部
１０ｃ  ダミー口金部
１０ｅ，１００ｅ  コネクタ受け部（給電端子部）
１０ｆ，１０ｇ  係止突起
１２    ＬＥＤ素子（発光源）
２０    器具本体
３０，３０Ａ，３０Ｂ  ソケット（給電側）
３２ａ  本体部
３２ｂ  ねじ溝部
３２ｂ１  切欠部
３２ｂ２  開口端
３２ｃ，３４ｃ  つば部
３２ｄ，３４ｄ  蓋部
３２ｄ１，３４ｄ１，３４ｄ３  係止孔
３２ｄ３，３４ｄ２  貫通孔
３４ｂ１  切欠部
４０    防水カバー
４１    筒体
４１ａ  縮径部
４２    第１シール部材
４３    第２シール部材
４４    スペーサ
５０    給電ケーブル
５１    リード線
５２    コネクタ
５３    把持部
５３ｃ  リード線挿通孔
１００ｈ  係止ピン（係止突起）
【図１】
2014041758.tif 000003
【図２】
2014041758.tif 000004
【図３】
2014041758.tif 000005
【図４】
2014041758.tif 000006
【図５】
2014041758.tif 000007
【図６】
2014041758.tif 000008
【図７】
2014041758.tif 000009
【図８】
2014041758.tif 000010
【図９】
2014041758.tif 000011
【図１０】
2014041758.tif 000012
【図１１】
2014041758.tif 000013
【図１２】
2014041758.tif 000014
【図１３】
2014041758.tif 000015
【図１４】
2014041758.tif 000016
【図１５】
2014041758.tif 000017
【図１６】
2014041758.tif 000018
【図１７】
2014041758.tif 000019